【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
パーティクルボードであって、
ａ）第１の面及び裏面を有する木材小片ベース層であって、
ｉ）木材小片ベース層の木材小片及び少なくとも１つの粒子状炭酸カルシウム含有材料の総乾燥重量に基づいて、６０．０〜９７．５重量部（ｄ／ｄ）の量の木材小片及び２．５〜４０．０重量部（ｄ／ｄ）の量の少なくとも１つの粒子状炭酸カルシウム含有材料
を含む木材小片ベース層、
並びに
ｂ）木材小片ベース層の第１の面及び／又は裏面に接触している少なくとも１つの木材小片表面層であって、
ｉｉ）少なくとも１つの木材小片表面層の木材小片及び少なくとも１つの粒子状炭酸カルシウム含有材料の総乾燥重量に基づいて、７０．０〜９７．５重量部（ｄ／ｄ）の量の木材小片及び２．５〜３０．０重量部（ｄ／ｄ）の量の少なくとも１つの粒子状炭酸カルシウム含有材料
を含む木材小片表面層
を含み、
ここで、木材小片ベース層及び少なくとも１つの木材小片表面層のそれぞれにおける木材小片及び少なくとも１つの粒子状炭酸カルシウム含有材料の合計量は、木材小片の総乾燥重量に基づいて１００．０重量部（ｄ／ｄ）であり、且つ該層における少なくとも１つの粒子状炭酸カルシウム含有材料が、１．０μｍ〜１０００．０μｍの重量メジアン粒径ｄ５０を有する、パーティクルボード。
【請求項２】
少なくとも１つの粒子状炭酸カルシウム含有材料が、ドロマイト及び／又は少なくとも１つの粉砕炭酸カルシウム（ＧＣＣ）、及び／又は少なくとも１つの沈降炭酸カルシウム（ＰＣＣ）である、請求項１に記載のパーティクルボード。
【請求項３】
少なくとも１つの粒子状炭酸カルシウム含有材料が、少なくとも１つの粉砕炭酸カルシウム（ＧＣＣ）である、請求項１に記載のパーティクルボード。
【請求項４】
木材小片ベース層及び／又は少なくとも１つの木材小片表面層の少なくとも１つの粒子状炭酸カルシウム含有材料が、ａ）１５．０μｍ〜１０００．０μｍの重量メジアン粒径ｄ５０、及び／又はｂ）ＢＥＴ窒素方法によって測定される場合に、≦５．０ｍ２／ｇの比表面積、及び／又はｃ）１００．０〜１２００．０μｍのトップカットｄ９８を有する、請求項１〜３のいずれか一項に記載のパーティクルボード。
【請求項５】
木材小片ベース層及び／又は少なくとも１つの木材小片表面層の少なくとも１つの粒子状炭酸カルシウム含有材料が、ａ）３０．０μｍ〜１０００．０μｍの重量メジアン粒径ｄ５０、及び／又はｂ）ＢＥＴ窒素方法によって測定される場合に、０．１〜５．０ｍ２／ｇの比表面積、及び／又はｃ）２５０．０μｍ〜１１００．０μｍのトップカットｄ９８を有する、請求項１〜３のいずれか一項に記載のパーティクルボード。
【請求項６】
木材小片ベース層及び／又は少なくとも１つの木材小片表面層の少なくとも１つの粒子状炭酸カルシウム含有材料が、炭酸カルシウム含有材料の総乾燥重量に基づいて、≧１０．０重量％の量の炭酸カルシウムからなる、請求項１〜５のいずれか一項に記載のパーティクルボード。
【請求項７】
木材小片ベース層及び／又は少なくとも１つの木材小片表面層の少なくとも１つの粒子状炭酸カルシウム含有材料が、炭酸カルシウム含有材料の総乾燥重量に基づいて、２０．０重量％の量の炭酸カルシウムからなる、請求項１〜５のいずれか一項に記載のパーティクルボード。
【請求項８】
木材小片ベース層及び少なくとも１つの木材小片表面層の木材小片が、一次木材源、又は二次木材源、及びこれらの混合物に由来する、請求項１〜７のいずれか一項に記載のパーティクルボード。
【請求項９】
一次木材源が、針葉樹樹種、広葉樹樹種および非木材繊維植物からなる群から選択され、二次木材源が、再生木材である、請求項８に記載のパーティクルボード。
【請求項１０】
木材小片ベース層が、木材小片ベース層の木材小片及び少なくとも１つの粒子状炭酸カルシウム含有材料の総乾燥重量に基づいて、木材小片を７０．０〜９５．０重量部（ｄ／ｄ）の量含み、及び少なくとも１つの粒子状炭酸カルシウム含有材料を５．０〜３０．０重量部（ｄ／ｄ）の量含み、及び／又は少なくとも１つの木材小片表面層が、少なくとも１つの木材小片表面層の木材小片及び少なくとも１つの粒子状炭酸カルシウム含有材料の総乾燥重量に基づいて、木材小片を７５．０〜９５．０重量部（ｄ／ｄ）の量含み、及び少なくとも１つの粒子状炭酸カルシウム含有材料を５．０〜２５．０重量部（ｄ／ｄ）の量含む、請求項１〜９のいずれか一項に記載のパーティクルボード。
【請求項１１】
木材小片ベース層の木材小片及び少なくとも１つの木材小片表面層の木材小片が、同一又は異なり；及び／又は木材小片ベース層の少なくとも１つの粒子状炭酸カルシウム含有材料及び少なくとも１つの木材小片表面層の少なくとも１つの粒子状炭酸カルシウム含有材料が、同じか又は異なる、請求項１〜１０のいずれか一項に記載のパーティクルボード。
【請求項１２】
木材小片ベース層の少なくとも１つの粒子状炭酸カルシウム含有材料及び少なくとも１つの木材小片表面層の少なくとも１つの粒子状炭酸カルシウム含有材料が、これらの重量メジアン粒径ｄ５０において異なる、請求項１〜１０のいずれか一項に記載のパーティクルボード。
【請求項１３】
木材小片ベース層及び／又は少なくとも１つの木材小片表面層が、木材小片及び少なくとも１つの粒子状炭酸カルシウム含有材料の総乾燥重量に基づいて、０．０５〜２５．０重量部（ｄ／ｄ）の量で少なくとも１つのバインダを含む、請求項１〜１２のいずれか一項に記載のパーティクルボード。
【請求項１４】
少なくとも１つのバインダが、フェノール−ホルムアルデヒド樹脂（ＰＦ）、尿素−ホルムアルデヒド樹脂（ＵＦ）、メラミン−ホルムアルデヒド樹脂（ＭＦ）、メラミン−尿素−ホルムアルデヒド樹脂（ＭＵＦ）、尿素−メラミン−ホルムアルデヒド樹脂（ＵＭＦ）、尿素−メラミン−フェノール−ホルムアルデヒド樹脂（ＵＭＰＦ）、エポキシ樹脂、メチレンジフェニルジイソシアネート樹脂（ＭＤＩ）、ポリウレタン樹脂（ＰＵ）、レゾルシン樹脂、でんぷん又はカルボキシメチルセルロース及びこれらの混合物を含む群から選択される、請求項１３のパーティクルボード。
【請求項１５】
木材小片ベース層及び／又は少なくとも１つの木材小片表面層がさらに、ワックス、着色剤、充填剤（少なくとも１つの粒子状炭酸カルシウム含有材料とは異なる）、分散剤、殺生物剤、硬化剤及び難燃剤を含む群から選択される少なくとも１つの化合物を含む、請求項１〜１４のいずれか一項に記載のパーティクルボード。
【請求項１６】
パーティクルボードが、木材小片ベース層及び２つの木材小片表面層からなる３層パーティクルボードである、請求項１〜１５のいずれか一項に記載のパーティクルボード。
【請求項１７】
パーティクルボードが、木材小片ベース層及び２つの木材小片表面層からなる３層パーティクルボードであり、一方の木材小片表面層が、木材小片ベース層の第１の面と接触し、他方の木材小片表面層が、木材小片ベース層の裏面と接触している、請求項１６に記載のパーティクルボード。
【請求項１８】
パーティクルボードが、≧１０Ｎ／ｍｍ２の曲げ強度；及び／又は≧１０００Ｎ／ｍｍ２の弾性率；及び／又は≧０．３０Ｎ／ｍｍ２の内部結合強度；及び／又は≦１５％の２４時間の水貯蔵後の厚さ膨潤を有する、請求項１〜１７のいずれか一項に記載のパーティクルボード。
【請求項１９】
パーティクルボードが、１０〜２５Ｎ／ｍｍ２の曲げ強度；及び／又は１６００〜３５００Ｎ／ｍｍ２の弾性率；及び／又は０．３５〜１．０Ｎ／ｍｍ２の内部結合強度；及び／又は４．０〜１５．０％の２４時間の水貯蔵後の厚さ膨潤を有する、請求項１〜１７のいずれか一項に記載のパーティクルボード。
【請求項２０】
請求項１〜１９のいずれか一項に記載のパーティクルボードを製造するための方法であって、以下の工程：
ａ）請求項１又は８〜１２のいずれか一項に定義された木材小片を乾燥形態で提供する工程、
ｂ）請求項１〜７又は１０〜１２のいずれか一項に定義された少なくとも１つの粒子状炭酸カルシウム含有材料を提供する工程、
ｃ）任意に、請求項１３又は１４に定義された少なくとも１つのバインダ及び／又は請求項１５に定義された少なくとも１つの化合物を提供する工程、
ｄ）工程ａ）の木材小片を、工程ｂ）の少なくとも１つの粒子状炭酸カルシウム含有材料、及び工程ｃ）の任意の少なくとも１つのバインダ及び／又は少なくとも１つの化合物と、同時に又は任意の順序で別々に配合して、木材小片ベース層マットを形成するのに適した木材小片−炭酸カルシウム含有材料混合物を形成する工程、
ｅ）工程ａ）の木材小片を、工程ｂ）の少なくとも１つの粒子状炭酸カルシウム含有材料、及び工程ｃ）の任意の少なくとも１つのバインダ及び／又は少なくとも１つの化合物と、同時に又は任意の順序で別々に配合して、少なくとも１つの木材小片表面層マットを形成するのに適した木材小片−炭酸カルシウム含有材料混合物を形成する工程、
ｆ）工程ｄ）で得られた木材小片−炭酸カルシウム含有材料混合物及び工程ｅ）で得られた木材小片−炭酸カルシウム含有材料混合物の多層マットを形成する工程、及び
ｇ）工程ｆ）の多層マットを１つ以上の工程でソリッドパーティクルボードにプレスする工程
を含む、方法。
【請求項２１】
方法工程ｄ）及び／又はｅ）が、工程ａ）の木材小片を、工程ｂ）の少なくとも１つの粒子状炭酸カルシウム含有材料、及び工程ｃ）の任意の少なくとも１つのバインダ及び／又は少なくとも１つの化合物と、同時に配合して行われるか、又は方法工程ｄ）及び／又はｅ）が、工程ａ）の木材小片を、工程ｂ）の少なくとも１つの粒子状炭酸カルシウム含有材料、及び工程ｃ）の任意の少なくとも１つのバインダ及び／又は少なくとも１つの化合物と、別々に配合して行われる、請求項２０に記載の方法。
【請求項２２】
工程ａ）の木材小片及び／又は工程ｂ）の少なくとも１つの粒子状炭酸カルシウム含有材料が、乾燥形態で提供される、請求項２０又は２１のいずれか一項に記載の方法。
【請求項２３】
パーティクルボード中の木材小片置換物としての少なくとも１つの粒子状炭酸カルシウム含有材料の使用であって、少なくとも１つの粒子状炭酸カルシウム含有材料が、１．０μｍ〜１０００．０μｍである重量メジアン粒径ｄ５０を有することを特徴とする、使用。
【請求項２４】
少なくとも１つの粒子状炭酸カルシウム含有材料が、１５．０μｍ〜１０００．０μｍである重量メジアン粒径ｄ５０を有することを特徴とする、請求項２３に記載の使用。